(57)【要約】  【課題】椅子の背もたれを、より着座者の背中にフィットさせる。  【解決手段】椅子Ｃの背もたれ７に、前側に硬質部７２１、後側に軟質部７２２を有するクッション材７２と、このクッション材７２の後方に取り付けられて荷重を支持する構造部材としての役割を担うとともに前面のランバーサポート部より上方の部分の幅方向中央部に凹部７１１ｘを有するシェル７１とを具備させ、前記クッション材７２の軟質部７２２の形状を前記シェル７１の凹部７１１ｘに対応させる。  【選択図】図４
2006158545.tif 000002
【特許請求の範囲】
【請求項１】
クッション材と、このクッション材の後方に取り付けられて荷重を支持する構造部材としての役割を担うとともに前面のランバーサポート部より上方の部分の幅方向中央部に凹部を有するシェルとを具備するものであって、前記シェルの凹部の前面と前記クッション材の後面との間を離間させている構造の背もたれを具備することを特徴とする椅子。
【請求項２】
前記シェルに前方に突出する突起を形成しているとともに、前記突起以外の部位を前記凹部として形成していることを特徴とする請求項１記載の椅子。
【請求項３】
クッション材と、このクッション材の後方に隙間なく当接するように取り付けられて荷重を支持する構造部材としての役割を担うとともに前面のランバーサポート部より上方の部分の幅方向中央部に凹部を有するシェルとを具備し、正面視前記シェルの凹部に対応する位置における前記クッション材の厚さ寸法を他の部分よりも大きくしている構造の背もたれを具備することを特徴とする椅子。
【請求項４】
多層構造をなすクッション材と、このクッション材の後方に隙間なく当接するように取り付けられて荷重を支持する構造部材としての役割を担うとともに前面のランバーサポート部より上方の部分の幅方向中央部に凹部を有するシェルとを具備し、前記クッション材の正面視前記シェルの凹部に対応する位置に他の部分よりも軟質の材料で形成した層である軟質部を設けている構造の背もたれを具備することを特徴とする椅子。
【請求項５】
前記クッション材が２層構造をなし、後側の層を前記軟質部としているとともに、前側の層を前記軟質部よりも硬質の材料で形成した層である硬質部としていることを特徴とする請求項４記載の椅子。
【請求項６】
前記クッション材の軟質部を、前記シェルの凹部に対向する部分にのみ設けていることを特徴とする請求項４又は５記載の椅子。
【請求項７】
前記シェルが、側面視ランバーサポート部を前方に張り出した形状をなすとともに、ランバーサポート部より上方の部位の平断面形状が平面視略円弧状をなし、前記部位の幅方向両端部が前方に張り出しているものであって、前記凹部の平断面形状が該凹部より下方の部分よりも曲率半径の小さな円弧状であることを特徴とする請求項１、２、３、４、５又は６記載の椅子。
【請求項８】
前記凹部の側断面形状を、後方に後退する略円弧状に形成していることを特徴とする請求項７記載の椅子。
【請求項９】
支持基部に背フレームを枢着してなり、背フレームに前記シェルを取り付けて形成している背もたれを座と連動させて傾動させる傾動機構を具備する椅子に用いられるものであって、前記シェルが、背もたれに掛かる荷重を支持する構造部材としての役割を担い前面に凹部を有し前記背フレームに支持されるインナーシェルと、このインナーシェル及び前記背フレームを後方から被覆するアウターシェルとを具備することを特徴とする請求項１、２、３、４、５、６、７又は８記載の椅子。
【請求項１０】
前記アウターシェルを、前記インナーシェルの凹部に対応する部位が後方に突出する形状に形成していることを特徴とする請求項９記載の椅子。
【発明の詳細な説明】
【技術分野】
【０００１】
本発明は、荷重を均等に支持する構造部材としての役割を担うシェルを有する椅子に関する。
【背景技術】
【０００２】
従来、事務用椅子等、背もたれを有し、長時間使用することを前提とする椅子において、着座時のフィット感を増すべく、背もたれに、その上部にいくほど曲率半径が大きくなる形状を採用したものが考えられている。このような形状を採用するのは、人間の背面もまた腰から上方に行くに従い曲率半径が大きくなるからである。（例えば特許文献１参照。）
【特許文献１】特開２００３−１８９９６９号公報
【発明の開示】
【発明が解決しようとする課題】
【０００３】
しかし、ただ背もたれの形状を着座者の背面形状にフィットさせるだけでなく、着座者の荷重が背もたれに加えられた際に、背もたれが着座者の背面を包み込むようにし、より着座時のフィット感を増すようにする要望が存在する。このような要望に対応する態様として、着座者の荷重が背もたれに加えられた際に背もたれの幅方向中央部が後退するように背もたれの全体を弾性変形可能に構成するものも考えられるが、広く用いられているシェルを用いた構成になるべく変更を加えず、製造ラインなどを共通化して安価にこのような効果を実現する要望がさらに存在する。
【０００４】
本発明は、このような課題を解決すべく構成するものである。
【課題を解決するための手段】
【０００５】
すなわち、本発明に係る椅子の一つは、クッション材と、このクッション材の後方に取り付けられて荷重を支持する構造部材としての役割を担うとともに前面のランバーサポート部より上方の部分の幅方向中央部に凹部を有するシェルとを具備するものであって、前記シェルの凹部の前面と前記クッション材の後面との間を離間させている構造の背もたれを具備することを特徴とする。
【０００６】
このようなものであれば、着座者が背もたれにもたれた際に、前記凹部を形成した部分がより多く沈み込み、広く用いられているシェルを用いた構成に最小限の変更のみを加えて、簡単な構成により、この背もたれが着座者の背中にフィットする効果を安価に実現できる。
【０００７】
このような椅子を具体的に実現するための態様として、前記シェルに前方に突出する突起を幅方向に離間させて複数形成しているとともに、前記突起間の部位を前記凹部として形成しているものが挙げられる。
【０００８】
一方、本発明に係る椅子の他の一つは、クッション材と、このクッション材の後方に隙間なく当接するように取り付けられて荷重を支持する構造部材としての役割を担うとともに前面のランバーサポート部より上方の部分の幅方向中央部に凹部を有するシェルとを具備し、正面視前記シェルの凹部に対応する位置における前記クッション材の厚さ寸法を他の部分よりも大きくしている構造の背もたれを具備することを特徴とすることを特徴とする。
【０００９】
また、本発明に係る椅子のさらに他の一つは、多層構造をなすクッション材と、このクッション材の後方に隙間なく当接するように取り付けられて荷重を支持する構造部材としての役割を担うとともに前面のランバーサポート部より上方の部分の幅方向中央部に凹部を有するシェルとを具備し、前記クッション材の正面視前記シェルの凹部に対応する位置に他の部分よりも軟質の材料で形成した層である軟質部を設けている構造の背もたれを具備することを特徴とする。
【００１０】
これらのようなものであっても、着座者が背もたれにもたれた際に、前記クッション材の正面視前記凹部に対応する部分がより多く沈み込み、広く用いられているシェルを用いた構成に最小限の変更のみを加えて、簡単な構成により、この背もたれが着座者の背中にフィットする効果を安価に実現できるとともに、このような構成を採用すれば、前記シェルと前記クッション材との間に隙間がないので、背もたれの形状をより安定させることができ、着座者の背中をより安定して保持できる。
【００１１】
このような椅子を容易に実現するための態様の一つとして、前記クッション材が２層構造をなし、後側の層を前記軟質部としているとともに、前側の層を前記軟質部よりも硬質の材料で形成した層である硬質部としているものが挙げられる。このような構成を採用すれば、硬質部に従来の背もたれに用いるクッション材と同一の材料及び形状を採用し、このような硬質部の後方に軟質部を貼り合わせる態様を採用できるので、硬質部と従来の背もたれに用いるクッション材とを共用してこのようなクッション材を安価に形成できる。なお、本発明では、「クッション材の前側の層」とは、着座者の背に近い側に位置する層、「クッション材の後側」とは、着座者の背から遠い側に位置する層を示す概念である。
【００１２】
特に、前記クッション材の軟質部を、前記シェルの凹部に対向する部分にのみ設けている構成を採用すれば、前記軟質部を形成するための材料の必要量を少なくでき、このようなクッション材を安価に形成できる。
【００１３】
上述したような構成のシェルを簡単な構成で実現できるようにするための構成として、前記シェルが、側面視ランバーサポート部を前方に張り出した形状をなすとともに、ランバーサポート部より上方の部位の平断面形状が平面視略円弧状をなし、前記部位の幅方向両端部が前方に張り出しているものであって、前記凹部の平断面形状が該凹部より下方の部分よりも曲率半径の小さな円弧状であるものが挙げられる。
【００１４】
特に、前記凹部の側断面形状が後方に後退する略円弧状であれば、前記凹部を沈み込ませて着座者にフィット感を与えつつ、前記凹部周囲の部分で着座者の背面を保持する態様を実現できる。
【００１５】
外観を損ねることなく背もたれを座と連動させて傾動させるようにするための態様として、支持基部に背フレームを枢着してなり、背フレームに前記シェルを取り付けて形成している背もたれを座と連動させて傾動させる傾動機構を具備する椅子に用いられるものであって、前記シェルが、背もたれに掛かる荷重を支持する構造部材としての役割を担い前面に凹部を有し前記背フレームに支持されるインナーシェルと、このインナーシェル及び前記背フレームを後方から被覆するアウターシェルとを具備するものが挙げられる。
【００１６】
特に、前記アウターシェルを、前記インナーシェルの凹部に対応する部位が後方に突出する形状に形成しているものであれば、この部分がより大きく沈み込むことを着座者に示せるとともに、アウターシェルの形状がインナーシェルと対応した形状となるので、アウターシェルの厚さ寸法を均一にできる。
【発明の効果】
【００１７】
本発明に係る椅子は、背もたれが、クッション材の後方に荷重を均等に支持する構造部材としての役割を担うシェルを有し、このシェルの少なくとも高さ方向中央部より上方に凹部を設け、この凹部の前面と前記クッション材の後面との間を離間させているので、着座者が背もたれにもたれた際に、前記凹部を形成した部分がより多く沈み込み、広く用いられているシェルを用いた構成に最小限の変更のみを加えて、簡単な構成により、この背もたれが着座者の背中にフィットする効果を安価に実現できる。
【発明を実施するための最良の形態】
【００１８】
以下、本発明の一実施形態について図面を参照して説明する。
【００１９】
本実施形態に係る椅子Ｃは、全体斜視図を図１、平面図を図２、右側面図を図３、中央側断面図を図４、図３におけるａ−ａ断面図を図５にそれぞれ示すように、構造体としての基盤をなすその椅子本体１が、キャスタ２１１付の脚羽根２１及び脚支柱２２からなる脚２と、脚２の上端側に取り付けた支持基部３と、前部を前記支持基部３に支持させた座受４と、基端を前記支持基部３に取り付け中間部に前記座受４の後部を支持させた背フレーム５とから構成されるもので、この椅子本体１の座受４に座シェル６１及び座クッション材６２等を取り付けて座６を構成しているとともに、前記背フレーム５に背シェル７１及び背クッション材７２等を取り付けて背もたれ７を構成している。そして、前記背もたれ７を座６と連動させて傾動させる傾動機構Ｋと、前記背フレーム５に反力を供給する反力機構Ｈとをさらに有する。
【００２０】
各部を詳述すると、支持基部３は、前記脚支柱２２の上端部に回転可能に取り付けたもので、脚支柱２２を上下方向に貫通させてなるとともに、底壁が斜め前方に傾斜して立ち上がり、内側に上方に開口する機構部収納空間を有し、概略舟形をなす。この支持基部３は、その前端部に、座６の前端部と連結するための軸Ｘ１を、前後方向に沿ってスライド可能に支持するスライド案内部たる長孔Ｎを形成している。またこの支持基部３は、前記軸Ｘ１よりも前記脚支柱２２側に変位した位置に、背フレーム５に取り付けられる軸Ｘ３を貫通させている。
【００２１】
座受４は、前記支持基部３上に位置し、その前端近傍部に、左右方向に延び、この座受４を含む座６と、前記支持基部３とを回転可能に連結する軸Ｘ１を取り付けている。なお、この座受４は、図中では想像線で示している。
【００２２】
背フレーム５は、後上方に向けて延伸する左右一対の背フレーム要素５１と、これらの背フレーム要素５１の上端近傍部間を一定の間隙を保って連結する図示しない連結部材と、前記背フレーム要素５１の上端に設けた背シェル取付部５２とを具備するもので、一対の背フレーム要素５１の中間部間に、軸Ｘ２を架設することができるようにしている。そして、各々の背フレーム要素５１の下端部近傍を前記支持基部３の軸Ｘ３に回転可能に取り付け、前記背フレーム要素５１間に架設した軸Ｘ２に座受４の後部を取り付けている。
【００２３】
傾動機構Ｋは、前記支持基部３に形成した前記長孔Ｎ内で、この長孔Ｎと座受４に取り付けた軸Ｘ１とをスライド可能に係合させるスライド係合構造を採用することによって、軸Ｘ１を長孔Ｎの前端側に位置付けて、背フレーム５が起き上がった起立姿勢を椅子Ｃに与え、軸Ｘ１を長孔Ｎの後端側に位置付けて、背フレーム５を後傾させるとともに座受４の後端を沈み込ませて椅子Ｃに後傾姿勢を与え、全体として前記背もたれ７及び座６を支持しつつ、これらを連動させて傾動させる機構である。また、この椅子Ｃは、上端部にロックボタン（図示略）を有するとともに前記支持基部３の後端部に下端部を枢着したガススプリングＧＳと、このガススプリングＧＳの上端部に固定しているとともに前記背フレーム５の前記軸Ｘ３より上方の部位に設けた軸Ｘ５に枢着しているガススプリング固定具ＧＫと、図示はしないが前記軸Ｘ５に枢着してなり前記ロックボタンを押圧する押圧位置と前記ロックボタンから離間した離間位置とに選択的に移動可能なロックボタン押圧操作部とをさらに具備する。そして、前記ロックボタン押圧操作部が押圧位置にある場合には前記ガススプリングＧＳのロックボタン（図示略）が押圧され、このガススプリングＧＳが伸縮可能となり、前記背フレーム５と前記支持基部３との相対位置が変更可能となる。すなわち、傾動機構Ｋの作動が許可され、前記背もたれ７及び座６の傾動が許可される。一方、前記ロックボタン押圧操作部が離間位置にある場合には前記ガススプリングＧＳのロックボタン（図示略）が押圧されず、このガススプリングＧＳが伸縮不可能となり、前記背フレーム５と前記支持基部３との相対位置が変更不可能となる。すなわち、傾動機構Ｋの作動が禁止され、前記背もたれ７及び座６が固定される。
【００２４】
反力機構Ｈは、前記支持基部３の内部に後傾姿勢で配置され前上端を固定リテーナＨ１に支持された一対のコイルスプリングＳと、背フレーム５の下端部に取り付けた軸Ｘ４の軸回りに取り付けた可動リテーナＨ２とを具備し、この可動リテーナＨ２に前記コイルスプリングＳの後下方端を支持させて、背フレーム５の後傾動作に伴い前記軸Ｘ４が前方へ移動することによって、可動リテーナＨ２がコイルスプリングＳを圧縮し、前記背フレーム５に反力を供給する構造になっている。なお、前記固定リテーナＨ１は、図示しない反力調整機構により前記可動リテーナＨ２と接離可能にしていて、前記背フレーム５に供給される反力を調整可能にしている。
【００２５】
座６は、この座６に掛かる荷重を均等に支持する構造部材としての役割を担い前記座受４に支持される座インナーシェル６１１、及びこの座インナーシェル６１１及び座受４の下方を被覆する座アウターシェル６１２とからなる座シェル６１と、座シェル６１の上方に設けられる座クッション材６２と、この座クッション材６２を被覆する座カバー６３とを具備する。なお、前記座アウターシェル６１２は、本実施形態では、前記支持基部３の下方に位置し、前記支持基部３の下方をも被覆する。
【００２６】
背もたれ７は、この背もたれ７に掛かる荷重を均等に支持する構造部材としての役割を担い、前記背フレーム５の背シェル取付部５２に取り付けられて該背フレーム５に支持される背インナーシェル７１１、及びこの背インナーシェル７１１の後方を被覆する背アウターシェル７１２からなる背シェル７１と、背シェル７１の前方に設けられる背クッション材７２と、この背クッション材７２を被覆する背カバー７３とを具備する。
【００２７】
しかして本実施形態では、前記背インナーシェル７１１の中央部に凹部７１１ｘを設けているとともに、前記背クッション材７２を、前側に硬質部７２１、後側に軟質部７２２を有する多層構造にしていて、前記軟質部７２２の後面を、前記凹部７１１ｘに当接させている。
【００２８】
前記背インナーシェル７１１は、前記図４、前記図５、この背インナーシェル７１１の正面側からの全体斜視図である図６、及び背インナーシェル７１１に前記背クッション材７２を取り付けた状態の背面側からの全体斜視図である図７に示すように、側面視ランバーサポート部を前方に張り出した形状をなすとともに、平断面形状が略円弧状をなして幅方向両端部が前方に張り出す形状にしている。また、前記背インナーシェル７１１のランバーサポート部より上方の部位は、上方に行くほど曲率半径が大きくなるようにしているとともに、前記凹部７１１ｘにおいては、平断面視した場合の曲率半径が前記凹部７１１ｘより下方の部位よりも小さくなるように形成している。さらに、前記凹部７１１ｘの側断面形状を、後方に後退する略円弧状に形成している。そして、前記背インナーシェル７１１の前面全体を滑らかな曲面に形成している。
【００２９】
背アウターシェル７１２の形状は、該背インナーシェル７１１の背面を隠蔽し得る位置に取り付けられ、椅子Ｃの外観を整える役割を果たす。具体的には、前記背インナーシェル７１１の形状に略対応する形状、すなわち前記インナーシェル７１１の凹部７１１ｘに対応する部位が後方に突出する形状を有し、全体にわたって略均一な厚さ寸法を有する。
【００３０】
前記背クッション材７２は、上述したように、前側に硬質部７２１、後側に軟質部７２２を有する多層構造に形成している。ここで本実施形態では、前記硬質部７２１及び前記軟質部７２２は、ともにウレタン樹脂により形成しているが、前記軟質部７２２には前記硬質部７２１に用いるものよりも軟質のものを採用するようにしている。また、本実施形態では、前記硬質部７２１の形状を従来広く用いられている上部にいくほど曲率半径が大きくなる形状を有する背もたれ用のクッション材と同様の形状にしているとともに、正面視前記凹部７１１ｘに対向する位置にのみ前記軟質部７２２を設けていて、この軟質部７２２を前記凹部７１１ｘに対応させ、前記背シェル７１と前記背クッション材７２との間に隙間がなくこれらが係合可能な形状に成形している。具体的には、この軟質部７２２の厚さ寸法を、幅方向中央に向かうにつれ大きくなる形状に成形している。また、この前記背クッション材７２全体の厚さ寸法は、正面視前記凹部７１１ｘに対向する部分において他の部分よりも大きくしている。
【００３１】
そして、このように構成した背もたれ７に荷重が加えられると、前記背クッション材７２の軟質部７２２を有する部位が、他の部位よりも優先して弾性変形し、この背もたれ７の前面の幅方向中央部が幅方向両端部よりも相対的に後退する。そして、軟質部７２２を有する部位の周辺、すなわち前記凹部７１１ｘの周辺の部位で着座者の背中を保持するようにしている。すなわち、この背もたれ７の前面の幅方向両端部が幅方向中央部よりも相対的に前方に張り出し、着座者の背面を包みこむよう作用する。
【００３２】
以上に述べたように、本実施形態に係る椅子Ｃの背もたれ７は、荷重を支持する構造部材としての役割を担うとともに中央部より上方に凹部７１１ｘを有する背シェル７１と、この背シェル７１の前面側に取り付けられ、前面側に硬質部７２１、後面側の前記背シェル７１の凹部７１１ｘに対向する位置に軟質部７２２を有する背クッション材７２とを具備するとともに、前記軟質部７２２の形状を前記背シェル７１の凹部７１１ｘの形状に対応させているとともに、前記背クッション材７２全体の厚さ寸法を、正面視前記凹部７１１ｘに対向する部分、すなわち前記背シェル７１の凹部７１１ｘに対向する部分において他の部分よりも大きくしている。従って、着座者が背もたれ７にもたれた際に、前記凹部７１１ｘを形成した部分がより多く沈み込み、簡単な構成により、この背もたれ７が着座者の背中にフィットする効果を実現できる。また、前記背シェル７１と前記背クッション材７２との間に隙間がないので、背もたれ７の形状を安定させることができ、従って、着座者の背中をより安定して保持できる。
【００３３】
また、前記凹部７１１ｘに対向する部分のみに前記軟質部７２２を設けるようにしているとともに、硬質部７２１は従来の背もたれ形状に対応させた形状に形成しているので、前記軟質部７２２を形成するための材料の必要量を少なくできるとともに、硬質部７２１は従来の背もたれ形状に用いるクッション材と共通化できるので、このようなクッション材を安価に形成できる。
【００３４】
さらに、側面視ランバーサポート部を前方に張り出した形状をなし、平断面形状を略円弧状をなして幅方向両端部が前方に張り出す形状に形成し、前記凹部７１１ｘにおける前記円弧の曲率半径を前記凹部７１１ｘの下方部分よりも小さくしているので、上述したような構成の背シェル７１を簡単な構成で実現できる。
【００３５】
加えて、前記凹部７１１ｘの側断面形状を、後方に後退する略円弧状に形成しているので、前記凹部７１１ｘの周辺の部位で着座者の背中を保持しつつ、前記凹部７１１ｘに対応する部位すなわち軟質部７２２を有する部位がより大きく沈み込み、着座者により効果的にフィット感を与えることができる。
【００３６】
また、支持基部３に背フレーム５を枢着してなり、背フレーム５に前記背シェル７１を取り付けて形成している背もたれ７を座６と連動させて傾動させる傾動機構Ｋを具備する椅子Ｃに用いられているとともに、前記背シェル７１が、背もたれ７に掛かる荷重を均等に支持する構造部材としての役割を担い前記背フレーム５に支持される背インナーシェル７１１と、この背インナーシェル７１１及び前記背フレーム５を後方から被覆する背アウターシェル７１２とを具備するので、前記背アウターシェル７１２により、前記背インナーシェル７１１及び傾動機構Ｋを被覆でき、従って、外観を損ねることなく背もたれ７を座６と連動させて傾動させるようにすることができる。
【００３７】
そして、背アウターシェル７１２が、前記背インナーシェル７１１の形状に略対応する形状、すなわち前記インナーシェル７１１の凹部７１１ｘに対応する部位が後方に突出する形状を有するので、この部分がより大きく沈み込むことを着座者に示せる。
【００３８】
なお、本発明は以上に述べた実施の形態に限られない。
【００３９】
例えば、上述した実施形態において、前記軟質部７２２は、この背クッション材７２の後面全域に設けるようにしてもよい。
【００４０】
また、シェルの凹部の前面とクッション材の後面とを離間させて、これらの間に隙間を設ける態様も考えられる。このような構成であっても、着座者が背もたれにもたれた際に、前記隙間を設けた部分、すなわちシェルの凹部に対応する部分がより多く沈み込むので、簡単な構成により、このような背もたれが着座者の背中にフィットする効果を実現できる。
【００４１】
この場合、前記シェルに前方に突出する突起を幅方向に離間させて複数形成しているとともに、前記突起間の部位を前記凹部として形成している態様が一例として考えられる。
【００４２】
さらに、インナーシェルとアウターシェルとを設ける替わりに、これらインナーシェル及びアウターシェルの機能を兼ね備える１つのシェルを設けるようにしてもよい。
【００４３】
また、凹部の形状は、前面を背もたれの他の部位よりも後退させているものであれば、例えば略チャネル状に形成する等、他の形状を採用してもよい。
【００４４】
加えて、クッション材は、２層構造でなく、正面視シェルの凹部に対応する位置に、該クッション材の他の部分よりも軟質の材料により形成した軟質層を形成したものであれば、３層以上の多層構造を採用してもよく、このような軟質層を形成したものであれば、クッション材の厚さ寸法は幅寸法全体にわたって均一であってもよい。さらに、軟質層は必ずしも後側にシェルに当接させて設ける必要はない。すなわち、図５に相当する位置の背クッション材及びシェルの断面図を図８の（ａ）に示すように、２層構造の背クッション材ａ７２において、軟質部ａ７２２を前側に、硬質部ａ７２１を後側に設け、硬質層ａ７２１を背シェルａ７１の凹部ａ７１ｘに当接させるようにしてもよい。また、図５に相当する位置の背クッション材及びシェルの断面図を図８の（ｂ）に示すように、３層構造のクッション材ｂ７２において、前後両側に硬質部ａ７２１を配置して軟質部ａ７２２を挟むようにしてもよい。さらに、前記図８の（ｂ）に示す構成と、硬質部及び軟質部の配置を逆にしても、背クッション材ｂ７２の幅方向中央部、すなわち正面視背シェルｂ７１の凹部ｂ７１ｘに対応する位置における厚さ寸法を他の部分よりも大きくしているので、少なくとも正面視背シェルｂ７１の凹部ｂ７１ｘに対応する部位を大きく沈み込ませて着座者の背面にフィットさせる効果を得ることができる。加えて、図５に相当する位置の背クッション材及びシェルの断面図を図８の（ｃ）に示すように、背クッション材ｂ７２の幅方向中央部、すなわち正面視背シェルｂ７１の凹部ｂ７１ｘに対応する位置における厚さ寸法が他の部分よりも著しくは大きくないものであっても、背クッション材ｃ７２を多層構造にし、背クッション材ｃ７２の幅方向中央部、すなわち正面視背シェルｃ７１の凹部ｃ７１ｘに対応する位置に硬質部ｃ７２１よりも軟質の材料で形成した軟質部ｃ７２２を設けたものであれば、少なくとも正面視背シェルｃ７１の凹部ｃ７１ｘに対応する部位を大きく沈み込ませて着座者の背面にフィットさせる効果を得ることができる。なお、前記図８の（ｃ）に示す構成においては、前側に硬質部ｃ７２１、後側に軟質部ｃ７２２を形成しているが、前側に軟質部、後側に硬質部を形成しているものであっても、正面視背シェルの凹部に対応する位置に硬質部よりも軟質の材料で形成した軟質部を設けたものであれば、少なくとも正面視背シェルの凹部に対応する部位を大きく沈み込ませて着座者の背面にフィットさせる効果を得ることができる。
【００４５】
また、クッション材の材質は、ウレタンに限らず、ジェル素材やエアー等、弾性変形可能であればどのような材質を採用してもよい。さらに、硬質部に硬質ウレタン材、軟質部にジェル素材を採用する等、硬質部及び軟質部にそれぞれ異種の材質を採用してもよい。
【００４６】
そして、クッション材全体を一体に形成するとともに正面視シェルの凹部に対応する部位の厚さ寸法を他の部分よりも大きくする態様であっても、少なくとも正面視シェルの凹部に対応する部位を大きく沈み込ませて着座者の背面にフィットさせる効果を得ることはできる。
【００４７】
その他、本発明の趣旨を損ねない範囲で種々に変形してよい。
【図面の簡単な説明】
【００４８】
【図１】本発明の一実施形態に係る背もたれを有する椅子の全体斜視図。
【図２】同実施形態に係る背もたれを有する椅子の平面図。
【図３】同実施形態に係る背もたれを有する椅子の右側面図。
【図４】同実施形態に係る背もたれを有する椅子の中央側断面図。
【図５】図３におけるａ−ａ断面図。
【図６】同実施形態に係る背インナーシェルの正面側からの全体斜視図。
【図７】同実施形態に係る背インナーシェルの背面側からの全体斜視図。
【図８】本発明の他の実施形態に係る背クッション材及び背シェルの図５に対応する位置の断面図。
【符号の説明】
【００４９】
Ｃ…椅子
３…支持基部
５…背フレーム
７…背もたれ
７１…背シェル
７１１…背インナーシェル
７１１ｘ…凹部
７１２…背アウターシェル
７２…背クッション材
７２１…硬質部
７２２…軟質部
Ｋ…傾動機構
【図１】
2006158545.tif 000003
【図２】
2006158545.tif 000004
【図３】
2006158545.tif 000005
【図４】
2006158545.tif 000006
【図５】
2006158545.tif 000007
【図６】
2006158545.tif 000008
【図７】
2006158545.tif 000009
【図８】
2006158545.tif 000010